(57)【特許請求の範囲】
【請求項１】
ネットワークエリアに敷設された光ケーブルと、
光ケーブルの敷設路に沿い所定の間隔で設置された複数の監視用カメラと、
前記光ケーブルと前記監視用カメラ各々の配設位置関係を定義したテーブルと、
前記光ケーブルに含まれる特定のケーブルを用いて前記光ケーブルの障害発生を検知し当該発生地点を特定する障害検知手段と、
前記障害検知手段で特定された障害発生地点の情報をもとに前記テーブルを参照して前記障害発生地点に最も近い監視用カメラを選択し当該カメラを操作して前記障害発生地点を撮影するカメラ制御手段と、
前記選択された監視用カメラにより撮影された映像をモニタ表示する手段と
を具備してなることを特徴とする光ネットワーク監視システム。
【請求項２】
前記障害検知手段の障害検知信号をもとに、ネットワークを構成する光ケーブルを切り替える切替制御手段を有してなる請求項１記載の光ネットワーク監視システム。
【請求項３】
前記監視用カメラは前記障害発生が検知されないとき、特定設備又は特定施設の監視用カメラとして用いられる請求項１記載の光ネットワーク監視システム。
【請求項４】
監視対象となる光ケーブルに、前記監視用カメラの信号伝送路を形成する光ケーブルが含まれる請求項１記載の光ネットワーク監視システム。
【請求項５】
前記監視用カメラは、前記障害発生時に於いて、前記カメラ制御手段により、少なくともパン制御、又はズーム制御される請求項１記載の光ネットワーク監視システム。
【発明の詳細な説明】
【０００１】
【発明の属する技術分野】
本発明は、例えば幹線道路等に沿って敷設された光ケーブルを監視対象とする光ネットワーク監視システム関する。
【０００２】
また本発明は、敷設された光ケーブルの障害発生地点を特定する障害検知手段と、前記光ケーブルの敷設路に沿って複数の監視用カメラを設けたモニタ表示による監視手段とを有してなる光ネットワーク監視システムに関する。
【０００３】
【従来の技術】
従来、光ケーブルを埋設等により敷設して構築される光ネットワークシステムに於いては、例えば工事によるケーブル切断等、光ケーブルに障害が発生した際、その発生地点を特定する技術として、光パルスの後方散乱を監視して障害の大きさ及び位置を特定する、光パルス試験器（ＯＴＤＲ）を用いた障害検知手段が存在する。この技術を用いることにより、ケーブル切断等、光ケーブルの障害発生地点を特定でき、当該情報に従い障害発生現場に迅速に赴くことができる。
【０００４】
しかしながら、従来では、障害発生現場に赴くまでは、その障害発生の原因、状況等を把握できず、障害発生現場に赴き、障害発生の原因、状況等を把握した後に復旧対策を講じなくてはならないことから、障害発生から復旧までに多くの時間と労力を要するという問題があった。
【０００５】
【発明が解決しようとする課題】
上述したように、従来では、光ケーブルを敷設して構築される光ネットワークシステムに於いて、例えば工事によるケーブル切断等、光ケーブルに障害が発生した際に、障害発生現場に赴くまで、その障害発生の原因、状況等を把握できず、障害発生現場に赴いて、障害発生の原因、状況等を把握した後に復旧対策を講じなくてはならないことから、障害発生から復旧までに多くの時間と労力を要するという問題があった。
【０００６】
本発明は上記実情に鑑みなされたもので、光ケーブルを敷設して構築される光ネットワークシステムに於いて、ケーブル切断等、光ケーブルに障害が発生した際に、効率良く迅速に復旧作業を行うことができ、復旧までに要する時間を大幅に短縮できる光ネットワーク監視システムを提供することを目的とする。
【０００７】
また本発明は、光ケーブルを敷設して構築される光ネットワークシステムに於いて、既設環境設備を有効に活用して、ケーブル切断等、光ケーブルに障害が発生した際に、効率良く迅速に復旧作業を行うことのできる光ネットワーク監視システムを提供することを目的とする。
【０００８】
【課題を解決するための手段】
本発明は、光ケーブルを用いた通信システムに於いて、光伝送路の障害を検知し、障害地点を特定して、その障害地点（障害発生現場）の状況を監視カメラでモニタする監視機能を備えたことを特徴とする。
【００１１】
即ち、本発明は、ネットワークエリアに敷設された光ケーブルと、当該光ケーブルの敷設路に沿い所定の間隔で設置された複数の監視用カメラと、前記光ケーブルと前記監視用カメラ各々の配設位置関係を定義したテーブルと、前記光ケーブルに含まれる特定の光ファイバを用いて前記光ケーブルの障害発生を検知し当該発生地点を特定する障害検知手段と、前記障害検知手段で特定された障害発生地点の情報をもとに前記テーブルを参照して前記障害発生地点に最も近い監視用カメラを選択し当該カメラを操作して前記障害発生地点を撮影するカメラ制御手段と、前記カメラ制御手段による制御で撮影された映像をモニタ表示する手段とを具備してなることを特徴とする。
【００１２】
また、本発明は、上記光ネットワーク監視システムに於いて、障害検知手段の障害検知信号をもとに、ネットワークを構成する光ケーブルを切り替える切替制御手段を有してなることを特徴とする。
【００１３】
また、本発明は、上記光ネットワーク監視システムに於いて、障害が発生しない状態下では監視用カメラが、例えば道路監視用カメラ等、特定設備又は特定施設の監視用カメラとして用いられ、障害が発生したときのみネットワーク監視用のカメラとして障害発生地点を撮影することを特徴とする。
【００１４】
上記したような本発明の監視機構を備えることにより、例えば地中に埋設して敷設された光ケーブルが工事等により切断されネットワークが寸断された場合等、光ケーブルに障害が発生した際に、その障害発生地点の映像をリアルタイムで管理者等に提供できることから、現場（障害発生地点）での復旧作業を効率良く迅速に行うことができ、これにより復旧までに要する時間を大幅に短縮できる。
【００１５】
また本発明は、例えば道路監視用カメラ等の既設環境設備を有効に活用し、ケーブル切断等、光ケーブルに障害が発生した際にのみ、上記カメラをネットワーク監視用のカメラとして用い、障害発生地点の映像をリアルタイムで管理者等に提供できることから、経済的に有利な構成で、効率の良い迅速な復旧作業が行え、復旧までに要する時間を大幅に短縮できる。
【００１６】
【発明の実施の形態】
以下、図面を参照して本発明の実施形態を説明する。
【００１７】
図１は本発明に係るシステムの要部の構成を示すブロック図、図７は当該システムの概要説明図である。
【００１８】
図中、１０は例えば地中に埋設され敷設された、監視の対象となる、光ネットワークを構成する主データ伝送用の光ケーブルであり、ここでは、ｍ本の光ファイバ（芯線）を束ねて構成され、そのうちの１本がセンサ（障害発生検知）用の光ファイバ（センサ用ケーブル）として用いられるものとする。
【００１９】
２０は予め定められた複数監視地点の各監視用映像信号を管理センタの監視システムに伝送するための監視カメラ用の光ケーブルであり、ここでは上記監視の対象となる光ネットワークを構成する光ケーブル１０とは独立した別個のケーブル構成でなり、当該光ケーブル１０の敷設路に沿い例えば所定の間隔を隔てて敷設（例えば埋設又は架設）される例を示しているが、光ネットワークを構成する光ケーブル１０内に設けた構成であってもよい。
【００２０】
２１1，２１2，…２１nはそれぞれ上記光ケーブル１０の敷設路に沿い所定距離離間して設置された監視用ＩＴＶカメラ（ＩＴＶＣ）であり、光ケーブル２０を介して管理センタの監視システムに接続され、当該監視システムの制御（旋回（パン）制御、ズーム制御等）の下に撮影した映像（映像信号）を光ケーブル２０を介し管理センタの監視システムに伝送する。
【００２１】
３０は管理センタ側に設けられたネットワーク管理システム（ＣＴ−ＴＲＦ）であり、伝送システム（ＴＲＦ−ＳＹＳ）３１、ケーブルセンサシステム（ＣＡ−ＳＥＮ）３２、表示システム（ＥＭ−ＤＩＳＰ）３３等を有して構成される。
【００２２】
上記伝送システム（ＴＲＦ−ＳＹＳ）３１は、上記光ケーブル１０を用いて構成される光ネットワークのデータ伝送制御を司る。
【００２３】
上記ケーブルセンサシステム（ＣＡ−ＳＥＮ）３２はマイクロプロセッサを用いて構成され、上記光ケーブル１０に含まれるセンサ用光ファイバを用いて光パルスの反射（後方散乱）及び減衰量から障害の発生及び大きさと位置（障害発生地点）を特定し、その障害発生及び障害発生地点を表示システム（ＥＭ−ＤＩＳＰ）３３に表示してコンソールを操作する管理者に提示するとともに、当該障害発生地点の情報を監視システム（ＣＴ−ＣＴＶ）４０に送出する。ここでは、上記光ケーブル１０の障害発生を検知したとき、監視システム（ＣＴ−ＣＴＶ）４０に割込みをかけ、障害発生地点の情報（例えば管理センタを基点とした障害発生地点までのＫＰ（キロポイント）情報）を監視システム（ＣＴ−ＣＴＶ）４０に送出する。
【００２４】
４０は同じく管理センタ側に設けられた監視システム（ＣＴ−ＣＴＶ）であり、制御部（ＣＯＮＴ）４１、映像切替処理部（ＣＴＶ−ＳＷ）４２、モニタ表示部（ＭＯＮ）４３等を有して構成される。
【００２５】
制御部（ＣＯＮＴ）４１は、マイクロプロセッサを用いて構成され、コンソール操作、プログラム操作等に従い上記監視用ＩＴＶカメラ（ＩＴＶＣ）２１1，２１2，…２１nの駆動制御（パン制御、ズーム制御等）及び映像切替制御等を司る。
【００２６】
更に上記制御部（ＣＯＮＴ）４１は、上記ケーブルセンサシステム（ＣＡ−ＳＥＮ）３２から障害発生地点の情報を受けると、当該情報をもとに図４に示すようなＩＴＶカメラ管理テーブル（ＴＢＬ）を参照して、上記障害発生地点に最も近い場所に設置された監視用ＩＴＶカメラ（ＩＴＶＣ）２１i（i=1/2/…/n）を選択し、当該選択した監視用ＩＴＶカメラ（ＩＴＶＣ）２１iを必要に応じ、旋回（パン）制御、ズーム制御等、駆動制御して、当該選択したＩＴＶカメラ（ＩＴＶＣ）２１iが障害発生地点（現場）を撮影するように制御する。
【００２７】
映像切替処理部（ＣＴＶ−ＳＷ）４２は、上記監視用ＩＴＶカメラ（ＩＴＶＣ）２１1，２１2，…２１nで撮影した映像（映像信号）を光ケーブル２０を介して入力し、上記制御部（ＣＯＮＴ）４１の制御の下に切替制御して、その切替により選択した映像（映像信号）をモニタ表示部（ＭＯＮ）４３に表示し、コンソールを操作する管理者に提供する。
【００２８】
図２は上記実施形態に於けるネットワーク管理システム（ＣＴ−ＴＲＦ）３０に設けられたケーブルセンサシステム（ＣＡ−ＳＥＮ）３２の処理手順を示すフローチャートである。
【００２９】
図３は上記実施形態に於ける監視システム（ＣＴ−ＣＴＶ）４０に設けられた制御部（ＣＯＮＴ）４１の処理手順を示すフローチャートである。
【００３０】
図４は上記制御部（ＣＯＮＴ）４１により参照されるＩＴＶカメラ管理テーブル（ＴＢＬ）の構成例を示す図であり、制御部（ＣＯＮＴ）４１の図示しないメモリ内に格納される。
【００３１】
図５は上記実施形態に於ける動作説明図であり、ここでは図４に示すＩＴＶカメラ管理テーブル（ＴＢＬ）に登録された情報をもとに、障害発生地点に最も近い監視用ＩＴＶカメラ（ＩＴＶＣ）２１iを選択し制御する例について示している。
【００３２】
ここで、図１乃至図５、及び図７を参照して本発明の第１実施形態に於ける動作を説明する。
【００３３】
ネットワーク管理システム（ＣＴ−ＴＲＦ）３０に設けられたケーブルセンサシステム（ＣＡ−ＳＥＮ）３２は、光ケーブル１０のセンサ用光ファイバ（センサ用ケーブル）を用いて、光パルスにより、光ケーブル１０の状態を常時監視している。
【００３４】
また、監視システム（ＣＴ−ＣＴＶ）４０に設けられた制御部（ＣＯＮＴ）４１は、通常処理モード下に於いて、コンソール操作、プログラム操作等に従い上記監視用ＩＴＶカメラ（ＩＴＶＣ）２１1，２１2，…２１nを駆動制御（パン制御、ズーム制御等）し、映像切替処理部（ＣＴＶ−ＳＷ）４２を切替制御して、当該各監視用ＩＴＶカメラ（ＩＴＶＣ）２１1，２１2，…２１nで撮影した映像（映像信号）を選択しモニタ表示部（ＭＯＮ）４３に表示する。例えば、通常処理モード下では、図４に示すＩＴＶカメラ管理テーブル（ＴＢＬ）を参照して、その設定情報に従い、カメラの撮影方向、撮影範囲等を制御し、監視対象となる道路の状況を撮影している（図３ステップＳ２１）。
【００３５】
ここで、例えば図７に示すように、工事等により、地中に埋設して敷設された光ケーブル１０が切断され又は損傷を受けて、光ケーブル１０に障害が発生すると、上記ケーブルセンサシステム（ＣＡ−ＳＥＮ）３２は、上記光ケーブル１０に含まれるセンサ用光ファイバを用いて光パルスの反射（後方散乱）及び減衰量から障害の発生、及び大きさと位置（障害発生地点）を特定し（図２ステップＳ１１〜Ｓ１３）、その障害発生及び障害発生地点を表示システム（ＥＭ−ＤＩＳＰ）３３に表示して、障害発生状態をコンソールを操作する管理者に提示するとともに、監視システム（ＣＴ−ＣＴＶ）４０に割込みをかけて、当該障害発生地点の情報を監視システム（ＣＴ−ＣＴＶ）４０に送出する（図２ステップＳ１４）。
【００３６】
監視システム（ＣＴ−ＣＴＶ）４０に設けられた制御部（ＣＯＮＴ）４１は、上記ケーブルセンサシステム（ＣＡ−ＳＥＮ）３２から割込要求を受付け（図３ステップＳ２１）、障害発生地点の情報を受けると、上述した通常処理モードから、ケーブルセンサシステム（ＣＡ−ＳＥＮ）３２と連動する連動処理モードに切り替え（図３ステップＳ２３）、当該障害発生地点の情報をもとに、図４に示すＩＴＶカメラ管理テーブル（ＴＢＬ）を参照して映像切替処理部（ＣＴＶ−ＳＷ）４２を切替制御し、上記障害発生地点に最も近い場所に設置された監視用ＩＴＶカメラ（ＩＴＶＣ）２１iを選択する（図３ステップＳ２４）。そして当該選択した監視用ＩＴＶカメラ（ＩＴＶＣ）２１iを必要に応じ、旋回制御、ズーム制御等、駆動制御して、当該選択したＩＴＶカメラ（ＩＴＶＣ）２１iが障害発生地点（現場）を撮影するように制御する。更に予め設定された情報に従い上記ＩＴＶカメラ（ＩＴＶＣ）２１iで撮影した映像を表示する表示デバイスを選択し、当該表示デバイス（この例ではモニタ表示部（ＭＯＮ）４３）に上記選択したＩＴＶカメラ（ＩＴＶＣ）２１iで撮影した映像を表示する（図３ステップＳ２５）。
【００３７】
この際の具体的な一例を図４及び図５を参照して説明する。この例では、図５に示すように、光ケーブル１０の敷設路に於いて、［Ｂ］地点と監視用ＩＴＶカメラ（ＩＴＶＣ）２１2を設置した［Ｃ２］地点との間で、障害（図５の×印参照）が発生すると、光ケーブル２０が正常状態にあるときは、ＩＴＶカメラ管理テーブル（ＴＢＬ）を参照して、監視用ＩＴＶカメラ（ＩＴＶＣ）２１2を選択し、当該ＩＴＶカメラ（ＩＴＶＣ）２１2で障害発生現場を撮影するが、光ケーブル２０が光ケーブル１０と共に切断又は損傷し、共に障害発生状態にあるときは、ＩＴＶカメラ管理テーブル（ＴＢＬ）を参照して、正常な動作状態にある監視用ＩＴＶカメラ（ＩＴＶＣ）の中から障害発生現場に最も近い、正常に動作する監視用ＩＴＶカメラ（ＩＴＶＣ）２１1を選択し、当該監視用ＩＴＶカメラ（ＩＴＶＣ）２１1を旋回制御して、当該選択したＩＴＶカメラ（ＩＴＶＣ）２１1が障害発生現場を撮影するように制御する。
【００３８】
このような制御により、障害発生時点に於ける障害発生現場の状況を即時にコンソールを操作する管理者に提示することができ、これにより障害発生現場での復旧作業を効率良く迅速に行うことができ、復旧までに要する時間を大幅に短縮できる。また、道路監視用カメラ等の既設環境設備を有効に活用して、光ケーブルに障害が発生した際にのみ、上記カメラをネットワーク監視用のカメラとして用いることができることから、経済的に有利なシステムを構築できる。
【００３９】
図６は本発明の第２実施形態に於ける要部の構成を示すブロック図である。この第２実施形態が上記第１実施形態と特に異なるところは、上記第１実施形態による障害発生に伴う情報提供機能に加え、光ケーブル１０Ａを用いた現用回線に障害が発生した際に、当該現用回線の光ケーブル１０Ａをシステムから切り離し、代わって予備回線の光ケーブル１０Ｂをシステムに接続する、現用／予備の切り替え制御機能を付加した点である。
【００４０】
即ち、ケーブルセンサシステム（ＣＡ−ＳＥＮ）３２は、現用回線として用いている光ケーブル１０Ａの障害発生を検知すると、当該現用回線として用いている光ケーブル１０Ａに於ける障害の発生、及び障害発生地点を表示システム（ＥＭ−ＤＩＳＰ）３３に表示してコンソールを操作する管理者に提示するとともに、当該障害発生地点の情報を割込みにより監視システム（ＣＴ−ＣＴＶ）４０の制御部（ＣＯＮＴ）４１に送出し、更に、回線切替手段３４を切替制御して、光ケーブル１０Ａを用いた現用回線をシステムから切り離し、代わって光ケーブル１０Ｂを用いた予備回線をシステムに接続して、光ケーブル１０Ａを用いた現用回線を光ケーブル１０Ｂを用いた予備回線に切り替え制御する。
【００４１】
このような光ケーブルの切替接続機能をもつことにより、光ケーブル１０Ａを用いた現用回線に障害が発生した際に、障害発生に伴う障害発生現場の映像提供機能に加え、予備回線の光ケーブル１０Ｂを用いて光ネットワークを継続運用する障害回復機能を実現できる。
【００４２】
尚、上記した実施形態では、データ伝送用光ケーブルと、監視用ＩＴＶカメラ（ＩＴＶＣ）の制御及び映像伝送用光ケーブルとをそれぞれ独立して敷設した例を示しているが、監視用ＩＴＶカメラ（ＩＴＶＣ）の制御及び映像伝送用光ケーブルをデータ伝送用光ケーブルに含む敷設手段に於いても本発明を適用できる。
【００４３】
また上記した実施形態では、監視用ＩＴＶカメラ（ＩＴＶＣ）を道路監視と障害発生現場の撮影用とに適用した例について示したが、これに限らず、例えば鉄道路線の監視、給配電線路の監視等、他の設備監視と障害発生現場の撮影用とに適用してもよい。
【００４４】
【発明の効果】
以上詳記したように本発明によれば、光ケーブルを敷設して構築される光ネットワークシステムに於いて、ケーブル切断等、光ケーブルに障害が発生した際に、効率良く迅速に復旧作業を行うことができ、これにより復旧までに要する時間を大幅に短縮できる。
【００４５】
また本発明によれば、光ケーブルを敷設して構築される光ネットワークシステムに於いて、既設環境設備を有効に活用し、経済的に有利な構成で、ケーブル切断等、光ケーブルに障害が発生した際に、効率良く迅速に復旧作業を行うことができる。
【図面の簡単な説明】
【図１】本発明に係るシステムの要部の構成を示すブロック図。
【図２】上記実施形態に於けるネットワーク管理システム（ＣＴ−ＴＲＦ）に設けられたケーブルセンサシステム（ＣＡ−ＳＥＮ）の処理手順を示すフローチャート。
【図３】上記実施形態に於ける監視システム（ＣＴ−ＣＴＶ）に設けられた制御部（ＣＯＮＴ）の処理手順を示すフローチャート。
【図４】上記実施形態に於ける制御部（ＣＯＮＴ）４１により参照されるＩＴＶカメラ管理テーブル（ＴＢＬ）の構成例を示す図。
【図５】上記実施形態に於ける動作説明図。
【図６】本発明の第２実施形態に於ける要部の構成を示すブロック図。
【図７】本発明に係るシステムの概要説明図。
【符号の説明】
１０…主データ伝送用光ケーブル
１０Ａ…現用回線用の光ケーブル
１０Ｂ…予備回線用の光ケーブル
２０…監視カメラ用光ケーブル
２１1，２１2，…２１n…監視用ＩＴＶカメラ（ＩＴＶＣ）
３０…ネットワーク管理システム（ＣＴ−ＴＲＦ）
３１…伝送システム（ＴＲＦ−ＳＹＳ）
３２…ケーブルセンサシステム（ＣＡ−ＳＥＮ）
３３…表示システム（ＥＭ−ＤＩＳＰ）
３４…回線切替手段
４０…監視システム（ＣＴ−ＣＴＶ）
４１…制御部（ＣＯＮＴ）
４２…映像切替処理部（ＣＴＶ−ＳＷ）
４３…モニタ表示部（ＭＯＮ）
ＴＢＬ…ＩＴＶカメラ管理テーブル
【図１】
0003721006.tif 000002
【図２】
0003721006.tif 000003
【図３】
0003721006.tif 000004
【図４】
0003721006.tif 000005
【図５】
0003721006.tif 000006
【図６】
0003721006.tif 000007
【図７】
0003721006.tif 000008